(57)【要約】【課題】  多くの候補者を一度に表示でき、入力のデバイスの消耗や故障による投票の中断を防止できる候補者を電子投票システムを提供する。【解決手段】  表示デバイス１１は、投票画面を表示するディスプレイと、表示エリアに投票画面を投影する画面投影手段１２と、表示エリア内の投票者の指などより入力情報を検出する入力情報検出手段１３とを有している。また投票装置は、表示エリアのサイズの調整を受ける調整スライダー５１と、調整スライダー５１による入力により表示エリアのサイズを調整する表示エリア調整手段５２とを有することを特徴とする。【選択図】  図９
2005128794.tif 000002
【特許請求の範囲】
【請求項１】
投票画面を表示する表示デバイスと、
投票者の投票結果である投票データを管理する投票装置とを有しており、
電子的に投票者の投票を行う電子投票システムであって、
前記表示デバイスは、
投票画面を表示する画面表示手段と、
表示エリアに投票画面を投影する画面投影手段と、
表示エリア内の入力決定手段より入力情報を検出する入力情報検出手段とを有しており、
前記投票装置は、
表示エリアのサイズの調整を受けるサイズ入力手段と、
前記サイズ入力手段による入力により表示エリアのサイズを調整するサイズ調整手段とを有することを特徴とする電子投票システム。
【請求項２】
前記投票画面は、確認画面であり、
前記確認画面を表示制御する確認画面表示手段があって、
前記画面表示手段は、前記確認画面表示手段による表示制御により、前記確認画面を表示することを特徴とする請求項１に記載の電子投票システム。
【請求項３】
前記投票画面は、候補者選択画面であり、
前記候補者選択画面を表示制御する候補者選択画面表示手段があって、
前記画面投影手段は、前記候補者選択画面表示手段による表示制御により、前記候補者選択画面を表示することを特徴とする請求項１に記載の電子投票システム。
【請求項４】
候補者を選択するための候補者選択ボタンが前記候補者選択画面内にあって、
前記候補者選択ボタンが一定数を超えるとき、前記サイズ調整手段による調整が行われ、
前記画面投影手段による表示制御により、表示エリアへの投影される前記候補者選択画面のサイズが変更されることを特徴とする請求項３に記載の電子投票システム。
【請求項５】
立体視可能な画像データを生成する立体画像生成手段と、
前記立体画像生成手段が生成する画像データを基に画面を立体的に表示制御する立体画面表示手段があって、
前記立体画面表示手段は、表示エリア内の投票画面を立体的に表示制御することを特徴とする請求項１から４の何れか１項に記載の電子投票システム。
【請求項６】
前記立体画面表示手段の表示制御により、立体的に表示された前記候補者選択ボタンは、表示エリアとの間に隙間を設けるように表示制御されることを特徴とする請求項５に記載の電子投票システム。
【請求項７】
前記立体画面表示手段の表示制御により、立体的に表示された前記候補者選択ボタンは、前記入力情報検出手段の検出範囲である候補者選択領域および前記確認画面表示手段が確認画面の表示制御を行うための候補者確定領域からなることを特徴とする請求項５または６に記載の電子投票システム。
【請求項８】
前記入力情報検出手段は、前記候補者選択領域内の前記入力情報決定手段より入力情報を検出したとき、
前記立体画面表示手段は、前記候補者選択ボタンを拡大して表示するように制御することを特徴とする請求項７に記載の電子投票システム。
【発明の詳細な説明】
【技術分野】
【０００１】
本発明は、投票者が電子投票を行う際の電子投票システムに関する。
【背景技術】
【０００２】
近年、「コンピュータを使用して投票を行い、投票終了後にただちに開票結果を得ることができる」という特徴を有する電子投票システムが開発されている。このシステムは投票装置で投票された投票データを記録媒体に記録して、集計装置で集計する事により、人手を介することが無く、集計ミスを防止することができる。
【０００３】
電子投票では、投票者は受付で投票ハガキを提示した後、従来の投票用紙の代わりに投票カードを発行してもらい、投票装置に挿入後に、画面に表示された候補者を指で触れることにより投票を行っていた。
【０００４】
しかし、候補者数が多い場合、１画面に全ての候補者を表示するためにフォントサイズを小さくしなければならないため、見づらくなったり、間違えて他の候補者を押してしまう等の弊害が発生していた（問題点１）。
【０００５】
また、タッチパネルを指で何度も押したり、強く押したりした場合、消耗したり故障する心配もあった（問題点２）。
【０００６】
このような問題点１、２を解消するにあたり、タッチパネルに替わる新たな入力手段の開発が望まれる。入力手段の技術に関して記載されているものとして特許文献１、２に記載の技術がある。
【０００７】
特許文献１では、電子デバイスへの全く新しい手入力によるデータ入力構成を提供するために、デバイスの本体の外側にある入力エリアに一時的に出現する障害物を検出し、データ入力を決定する手段を有する。更に表面の入力エリアに映像を投影する手段を有する。このバーチャル・キーボードは、当該装置の正面にまたは当該装置の折り畳み部分に在る表面上に投影される。レーザーダイオードと回析オプティックスとを使用して表面上にバーチャル・キーボードの画像が生成され、赤外線送信装置と受信装置を用いて、バーチャル・キーボードの正確なエリア上にあるポインタまたは指の検出が行われるといった技術が開示されている。
【０００８】
特許文献２では、右目用画像と左目用画像の合成画像を表示し観測者に立体的感を与えることを特徴とする立体画像表示装置において、右目用画像と左目用画像をそれぞれ右目および左目に分離入力して立体像を再現する画像分離入力手段と、計算機により３次元空間を記述する情報から撮影画像を生成する３次元コンピュータグラフィクスを用いて左右目用２画像を生成する立体画像生成手段と、左右２画像の視差量の変化により非立体表示と立体表示状態への移行可能な表示状態移行手段を有して、非立体表示と立体視への移行を連続的に滑らかに行うといった技術が開示されている。
【特許文献１】特開２０００−３０５７０６号公報
【特許文献２】特開平１０−１７２００４号公報
【発明の開示】
【発明が解決しようとする課題】
【０００９】
しかし、特許文献１、２では電子投票を想定したなされた技術ではなく、電子投票における特有の問題（問題点１、２）を解消するには至らない。
【００１０】
上記事情を鑑みて、本発明では、多くの候補者を一度に表示でき、入力のデバイスの消耗や故障による投票の中断を防止できる候補者を電子投票システムを提供することを目的とする。
【課題を解決するための手段】
【００１１】
上記目的を達成するため、請求項１に係る発明は、投票画面を表示する表示デバイスと、投票者の投票結果である投票データを管理する投票装置とを有しており、電子的に投票者の投票を行う電子投票システムであって、前記表示デバイスは、投票画面を表示する画面表示手段と、表示エリアに投票画面を投影する画面投影手段と、表示エリア内の入力決定手段より入力情報を検出する入力情報検出手段とを有しており、前記投票装置は、表示エリアのサイズの調整を受けるサイズ入力手段と、前記サイズ入力手段による入力により表示エリアのサイズを調整するサイズ調整手段とを有することを特徴とする。
【００１２】
請求項２に係る発明は、請求項１に記載の電子投票システムにおいて、前記投票画面は、確認画面であり、前記確認画面を表示制御する確認画面表示手段があって、前記画面表示手段は、前記確認画面表示手段による表示制御により、前記確認画面を表示することを特徴とする。
【００１３】
請求項３に係る発明は、請求項１に記載の電子投票システムにおいて、前記投票画面は、候補者選択画面であり、前記候補者選択画面を表示制御する候補者選択画面表示手段があって、前記画面投影手段は、前記候補者選択画面表示手段による表示制御により、前記候補者選択画面を表示することを特徴とする。
【００１４】
請求項４に係る発明は、請求項３に記載の電子投票システムにおいて、候補者を選択するための候補者選択ボタンが前記候補者選択画面内にあって、前記候補者選択ボタンが一定数を超えるとき、前記サイズ調整手段による調整が行われ、前記画面投影手段による表示制御により、表示エリアへの投影される前記候補者選択画面のサイズが変更されることを特徴とする。
【００１５】
請求項５に係る発明は、請求項１から４の何れか１項に記載の電子投票システムにおいて、立体視可能な画像データを生成する立体画像生成手段と、前記立体画像生成手段が生成する画像データを基に画面を立体的に表示制御する立体画面表示手段があって、前記立体画面表示手段は、表示エリア内の投票画面を立体的に表示制御することを特徴とする。
【００１６】
請求項６に係る発明は、請求項５に記載の電子投票システムにおいて、前記立体画面表示手段の表示制御により、立体的に表示された前記候補者選択ボタンは、表示エリアとの間に隙間を設けるように表示制御されることを特徴とする。
【００１７】
請求項７に係る発明は、請求項５または６に記載の電子投票システムにおいて、前記立体画面表示手段の表示制御により、立体的に表示された前記候補者選択ボタンは、前記入力情報検出手段の検出範囲である候補者選択領域および前記確認画面表示手段が確認画面の表示制御を行うための候補者確定領域からなることを特徴とする。
【００１８】
請求項８に係る発明は、請求項７に記載の電子投票システムにおいて、前記入力情報検出手段は、前記候補者選択領域内の前記入力情報決定手段より入力情報を検出したとき、前記立体画面表示手段は、前記候補者選択ボタンを拡大して表示するように制御することを特徴とする。
【発明の効果】
【００１９】
候補者の数が多い場合でも、画面サイズの制限を受けることがなく表示できることにある。その理由は、机上等の表示エリアに投影する事により、タッチパネル等の入力デバイスの画面サイズに制限されることなく、投票者は、自分が見やすい大きさに画面サイズを変更することが可能となるからである。
【００２０】
入力デバイスの消耗や故障による投票の中断を防止できることである。その理由は、投票者は、机上等の表示エリアに投影された画面に指を触れることにより投票を行うため、タッチパネル等の入力デバイスを使用しないためである。
【発明を実施するための最良の形態】
【００２１】
以下、本発明を実施する最良の形態を図面を参照して説明する。
【００２２】
＜趣旨＞
従来の電子投票システムにおいては、電子投票装置の画面に候補者を表示していたため、候補者が多い場合には、一画面に全ての候補者を表示するためには、フォントサイズを小さくする必要がある等の制約があった。
【００２３】
また、タッチパネルによる入力であったため、強く押したり、何度も押した場合には、デバイスが故障する場合があった。
【００２４】
そこで、電子投票システムにおいて、適当な入力手段を用意して、それを電子投票装置に応用したものであり、従来のタッチパネルによる候補者の選択を、表示エリアに投影した画面で行う。本実施形態では、入力手段として特許文献１の技術を採用することにする。
【００２５】
図１に本実施形態の電子投票システムの側面図を示す。電子投票システムにおいて、内部の記録媒体に投票データが保存されている投票装置には、表示エリアに投影される画面サイズの調整を行う調整スライダーと、投票者の投票カードの挿入口が備えられている。また、投票装置の上側には表示エリアに画面を表示するディスプレイを搭載したデバイスが備えられており、表示エリアに候補者選択画面と、確認画面を表示する役割を果たす。
【００２６】
図２に本実施形態の電子投票システムの正面図を示す。デバイスは投票装置の前部の机上に設けられた表示エリアに候補者の名前等を投影することになる。
【００２７】
＜解決手段＞
本実施形態による解決手段を、図３〜図８を用いて説明する。
投票者が、受付で発行された投票カードを投票装置の投票カード挿入口に挿入すると（図３）、デバイスは机上に候補者選択画面を投影する。
投票者は、調整スライダで画面のサイズを見やすいサイズに調整する（図４）。
投票者が投票したい候補者を指で押下すると（図５）、ディスプレイに確認画面が表示され、「投票する」および「戻る」ボタンが机上に投影される（図６）。
投票者が「投票する」ボタンを押すと、暗号化された投票データが投票装置内の記録媒体に記録され（図７）、投票カードが排出される（図８）。
投票者が「戻る」ボタンを押すと、候補者選択画面が机上に投影される。
【００２８】
このような手段をとることにより、候補者数が多い場合でも、ディスプレイサイズの制約を受けることなく表示することが可能とする。また、タッチパネルのような物理的なデバイスではなく、表示エリアに投影されたボタンを押すことにより投票が可能となるので、デバイスの消耗や故障の心配が無くなる。以下、投票者がこのように投票手続を行うための電子投票装置の構成および動作を説明する。
【００２９】
＜本実施形態の構成＞
図９を参照すると、本実施例は、表示エリアに候補者選択画面等を投影する「デバイス１１」と、投票画面の遷移を制御する「投票画面制御部２１」と、投票カードと記録媒体への読み書きを制御する「投票カード・記録媒体制御部３１」と、表示エリアへの画面サイズを制御する「調整スライダー５１」と、投票データを記憶するための「記録媒体４１」と、投票ステータスを記憶するための「投票カード６１」を含む。
【００３０】
また、「デバイス１１」は「画面投影手段１２」、「入力情報検出手段１３」を有しており、投票者に投票手続に関する画面（投票画面）を表示する。
【００３１】
「投票画面制御部２１」は「候補者選択画面表示手段２２」、「確認画面表示手段２３」を含む。
【００３２】
「投票カード・記録媒体制御部３１」は「投票カード読み込み手段３２」、「投票データ書き込み手段３３」、「投票カード書き込み手段３４」を含む。
【００３３】
「記録媒体４１」は「投票データ記憶部４２」を含む。
【００３４】
「調整スライダー５１」は「表示エリア調整手段５２」を含む。
【００３５】
「投票カード６１」は「投票ステータス記憶部６２」を含む。
【００３６】
これらの手段はそれぞれ概略つぎのように動作する。
【００３７】
「画面投影手段２２」は、特許文献１記載の仕組みを使って、表示エリアに画面を投影する。
【００３８】
「入力情報検出手段２３」は、特許文献１記載の仕組みを使って、投票者の指による選択などの対象物を入力決定手段として扱い、投票者が指で選択したとき、入力決定手段からの入力情報を検出する機能を持つ。
【００３９】
「候補者選択画面表示手段２２」は、「デバイス１１」に、候補者選択画面を投影するように指示を出す。
【００４０】
「確認画面表示手段２３」は、「デバイス１１」に、確認画面を投影するように指示を出す。
【００４１】
「投票カード読み込み手段３２」は、投票カードの「投票ステータス記憶部６２」に記憶されている投票ステータスを読み込む。
【００４２】
「投票データ書き込み手段３３」は、投票者が選択した候補者データを暗号化して記録媒体の「投票データ記憶部４２」に書き込む。
【００４３】
「投票カード書き込み手段３４」は、投票カードの「投票ステータス記憶部６２」に投票ステータスを書き込む。
【００４４】
「表示エリア調整手段５２」は、「デバイス１１」に表示エリアに表示される画面サイズ変更の指示を出す。
【００４５】
＜本実施形態の動作＞
次に、図１０のフローチャートを参照して本実施例の全体の動作について詳細に説明する。
【００４６】
投票者は、受付で発行された投票カード６１を「投票装置」に挿入する（Ａ１）。
【００４７】
投票処理の一連の作業の中で、「投票装置」の投票カード読み込み手段３２は、「投票カード６１」の投票ステータス記憶部６２より投票ステータスを読み込む（Ａ２）。
【００４８】
投票ステータスが「投票済み」の場合は、投票装置の投票画面制御部２１は「ディスプレイ」にエラー画面を表示して（Ａ１２）、投票装置は投票カード６１を排出する（Ａ１１）。
【００４９】
投票ステータスが「未投票」の場合は、「デバイス１１」は、特許文献１記載の仕組みを使って、候補者選択画面表示手段２２の制御により候補者選択画面をディスプレイ上に表示し、画面投影手段１２は候補者選択画面を「表示エリア」に投影する（Ａ３）。
【００５０】
投票者は、調整スライダー５１で自分の見やすい画面サイズに調整する（Ａ４）。その調整に応じて表示エリア調整手段５２は画面サイズの調整のデータを画面投影手段１２に送信する。画像投影手段１２は、そのデータ対応したサイズの画面を表示エリアに表示する。
【００５１】
投票者は、「表示エリア」に投影された候補者を選択するための候補者選択ボタンを指で触れて選択する（Ａ５）。
【００５２】
「デバイス１１」は、特許文献１記載の仕組みを使って、入力情報検出手段１３による投票者が選択した候補者の検出があって、確認画面表示手段２３の制御により、確認画面を「ディスプレイ」に表示し（Ａ６）、画面投影手段１２は、確認ボタンを「表示エリア」に投影する（Ａ７）。
【００５３】
投票者は、「表示エリア」に投影された確認ボタン（「投票する」、「戻る」）を指で触れて選択する（Ａ８）。
【００５４】
「戻る」ボタンが選択された場合は、「デバイス１１」の画面投影手段１２は候補者選択画面を「表示エリア」に投影する（Ａ３）。
【００５５】
「投票する」ボタンが選択された場合は、入力情報検出手段１３は投票者の選択を検出し、その選択データを投票カード・記録媒体制御部３１の投票データ書き込み手段３３に送信する。投票データ書き込み手段３３は投票データを暗号化して「記録媒体４１」の投票データ記憶部４２に書き込む（Ａ９）。
【００５６】
投票カード・記録媒体制御部３１の投票カード書き込み手段３４は、投票データ書き込み手段３３より投票データを受信し、「投票カード６１」の投票ステータスを「投票済み」に書き込んだ（Ａ１０）後、「投票装置」は投票カードを排出する（Ａ１１）。
【００５７】
＜本実施形態の効果＞
本実施形態の効果として以下に記載するものがある。
【００５８】
第１の効果は、候補者の数が多い場合でも、画面サイズの制限を受けることがなく表示できることにある。その理由は、机上等の表示エリアに投影する事により、タッチパネル等の入力デバイスの画面サイズに制限されることなく、投票者は、自分が見やすい大きさに画面サイズを変更することが可能となるからである。
【００５９】
第２の効果は、入力デバイスの消耗や故障による投票の中断を防止できることである。その理由は、投票者は、机上等の表示エリアに投影された画面に指を触れることにより投票を行うため、タッチパネル等の入力デバイスを使用しないためである。
【００６０】
＜本実施形態の他の実施例に関する説明＞
次に、本実施形態の他の実施例について図面を参照して詳細に説明する。
図１１を参照すると本実施例は、表示エリアに表示される画面が３Ｄである点が異なる。
３Ｄ画面の生成方法は、既存の技術のもので構わないが、ここでは特許文献２記載の技術を使用する。
【００６１】
投票者は、投票する際に投票装置に備え付けられている専用のメガネをかけて投票する。画面を立体的に表示する立体画面表示手段であるこのメガネには、特許文献２記載の技術が施されており、立体視可能な画像データを生成する立体画像生成手段が存在する。投票者は立体画像生成手段の制御により表示エリア中の表示ボタン（候補者選択ボタン）が立体的に見える。
【００６２】
表示エリアに表示されるボタンは、図１２に示すように候補者拡大画面表示領域（候補者選択領域とも呼ぶ）と候補者確定領域の２階層になっており、投票者が候補者選択領域まで指を近づけると、ボタンが拡大されて表示される（図１３）。
【００６３】
候補者選択領域は、入力情報検出手段１３の検出範囲内であって、入力情報検出手段１３が候補者選択領域にある投票者の指を検出して、対応する検出データを投票装置の投票画面制御部２１に送信する。その後、投票画面制御部２１内の候補者選択画面表示手段２２は選択された候補者のボタンを拡大するためのデータを画面投影手段１２に送信し、画面投影手段１２は、対応する候補者のボタンを拡大して表示エリアに投影する。
【００６４】
また、候補者確定領域まで指を近づけると、確認画面が表示される。この際、ボタンと表示エリアとの間には少し隙間があるので、投票者が直接表示エリアに指をふれることはない。
【００６５】
候補者確定領域は、入力情報検出手段１３が候補者確定領域にある投票者の指を検出して、対応する検出データを投票装置の投票画面制御部２１に送信する。その後、投票画面制御部２１内の確認画面表示手段２３は確認画面用のデータを画面投影手段１２に送信し、画面投影手段１２は、確認画面を表示エリアに投影する。
【００６６】
投票者による投票の手順は上記の実施形態と同様である。
【００６７】
これにより、以下の効果が期待できる。
【００６８】
まず、専用のメガネをかけなければ画面が正常に表示されないため、投票中ののぞき見を防止できる。
【００６９】
また、３Ｄにすることにより、指を表示エリアに触れなくてもボタンを押したことを体感できるため、指紋による投票の推測を防止できる。
【００７０】
また、指を近づけると、選択されたボタンを拡大することにより、押し間違えを防止できる。
【００７１】
本発明における実施の形態は、上記に限定されるものではなく要旨を変更しない範囲において、種々変形可能である。例えば、本発明はディスプレイが無い場合にも適用可能であり、その場合は、ディスプレイに表示される文言も表示エリアに表示されるものとする。
【図面の簡単な説明】
【００７２】
【図１】本実施形態の電子投票システムの側面図である。
【図２】本実施形態の電子投票システムの正面図である。
【図３】投票カード挿入時の電子投票システムの正面図である。
【図４】画面調整時の電子投票システムの正面図である。
【図５】候補者選択時の電子投票システムの正面図である。
【図６】投票確認時の電子投票システムの正面図である。
【図７】投票中の電子投票システムの正面図である。
【図８】投票カード排出時の電子投票システムの正面図である。
【図９】本実施形態の電子投票システムの構成ブロック図である。
【図１０】本実施形態の電子投票システムの動作処理フローチャートである。
【図１１】本実施形態の他の実施例において、候補者表示時の電子投票システムの正面図である。
【図１２】本実施形態の他の実施例において、候補者表示時の表示エリア中のボタンの拡大図である。
【図１３】本実施形態の他の実施例において、候補者選択時の電子投票システムの正面図である。
【符号の説明】
【００７３】
１１    デバイス
１２    画像投影手段
１３    入力情報検出手段
２１    投票画面制御部
２２    候補者選択画面表示手段
２３    確認画面表示手段
３１    投票カード・記録媒体制御部
３２    投票カード読み込み手段
３３    投票データ書き込み手段
３４    投票カード書き込み手段
４１    記録媒体
４２    投票データ記憶部
５１    調整スライダー
５２    表示エリア調整手段
６１    投票カード
６２    投票ステータス記憶部
【図１】
2005128794.tif 000003
【図２】
2005128794.tif 000004
【図３】
2005128794.tif 000005
【図４】
2005128794.tif 000006
【図５】
2005128794.tif 000007
【図６】
2005128794.tif 000008
【図７】
2005128794.tif 000009
【図８】
2005128794.tif 000010
【図９】
2005128794.tif 000011
【図１０】
2005128794.tif 000012
【図１１】
2005128794.tif 000013
【図１２】
2005128794.tif 000014
【図１３】
2005128794.tif 000015